(57)【要約】【課題】遊技機において、遊技中のサプライズ性を高め、遊技の興趣を向上可能とする。【解決手段】複数の演出部材７１Ｌ、７２Ｌ、７３Ｌ、７１Ｒ、７２Ｒ、７３Ｒから形成される集合演出体７は、表示画面５１における一辺よりも表示画面５１外に退避した第１位置にあって表示画面５１の一辺を装飾する第１形態と、表示画面５１の前側に移動した第２位置にあって第１形態と異なる形態に変形する第２形態と、第２位置から第１辺に対向する表示画面５１の対向辺にあって、第１、２形態と異なる形態の第３形態に変形可能である。【選択図】図３
2014004167.tif 000002
【特許請求の範囲】
【請求項１】
遊技盤と、前記遊技盤に取り付けられ、演出図柄を変動表示可能な表示画面と、遊技状況に応じて作動可能な複数の演出部材から形成される集合演出体とを備えた遊技機において、
前記集合演出体は、前記表示画面における一辺よりも前記表示画面外に退避した第１位置にあって前記表示画面の一辺を装飾する第１形態と、前記表示画面の前側に移動した第２位置にあって前記第１形態と異なる形態に変形する第２形態と、前記第２位置から前記第１辺に対向する前記表示画面の対向辺にあって、前記第１、２形態と異なる形態の第３形態に変形することを特徴とする遊技機。
【請求項２】
前記集合演出体は、前記第２形態にあるとき、前記演出図柄を隠蔽し、前記第３形態にあるとき、前記演出図柄を視認可能とすると共に、前記表示画面の前記対向辺である下辺及び両側辺を装飾することを特徴とする請求項１記載の遊技機。
【発明の詳細な説明】
【技術分野】
【０００１】
本発明は、パチンコ機等の遊技機に係わり、特には演出装置を備えた遊技機に関する。
【背景技術】
【０００２】
従来、パチンコ機等の遊技機においては、遊技盤の裏面側に配置される表示装置の表示画面にキャラクタや数字等の演出図柄を表示すると共に、遊技状況に応じて表示画面の前側に演出部材を出現させることで、表示画面への遊技者の注目度を高めようとする試みが各種なされている。
【０００３】
例えば、特許文献１には、遊技盤に上下方向へ移動可能な演出部材を設け、当該演出部材を、モータ等の電気的駆動源により、表示画面の前側から外れた位置の上昇位置から表示画面の前側に位置する落下位置に移動させることによって、遊技中のサプライズ性（意外性）を醸し出すようにした遊技機が記載されている。
【先行技術文献】
【特許文献】
【０００４】
【特許文献１】特開２００９−８２４００号公報
【発明の概要】
【発明が解決しようとする課題】
【０００５】
しかしながら、上述のような遊技機においては、演出部材が単調に表示画面の前側を昇降動作するだけであるため、サプライズ性に乏しいものである。
【０００６】
本発明は、かかる課題に鑑みなされたものであって、遊技中のサプライズ性を高め、遊技の興趣を向上可能とした遊技機を提供することを目的とする。
【課題を解決するための手段】
【０００７】
上記課題を解決するために、本発明に係る遊技機は、遊技盤と、前記遊技盤に取り付けられ、演出図柄を変動表示可能な表示画面と、遊技状況に応じて作動可能な複数の演出部材から形成される集合演出体とを備えた遊技機において、前記集合演出体は、前記表示画面における一辺よりも前記表示画面外に退避した第１位置にあって前記表示画面の一辺を装飾する第１形態と、前記表示画面の前側に移動した第２位置にあって前記第１形態と異なる形態に変形する第２形態と、前記第２位置から前記第１辺に対向する前記表示画面の対向辺にあって、前記第１、２形態と異なる形態の第３形態に変形することを特徴とする。
【０００８】
さらに、前記集合演出体は、前記第２形態にあるとき、前記演出図柄を隠蔽し、前記第３形態にあるとき、前記演出図柄を視認可能とすると共に、前記表示画面の前記対向辺である下辺及び両側辺を装飾することを特徴とする。
【発明の効果】
【０００９】
本発明によれば、遊技中に、集合演出体が様々な形態に変形するため、遊技中のサプライズ性を高め、遊技の興趣を向上させることが可能となる。
【図面の簡単な説明】
【００１０】
【図１】本発明に係る遊技機（パチンコ機）の正面図である。
【図２】集合演出体が第１形態にあるときの遊技盤の正面図である。
【図３】集合演出体が第２形態にあるときの遊技盤の正面図である。
【図４】集合演出体が第３形態にあるときの遊技盤の正面図である。
【図５】集合演出体が第１形態にあるときの演出装置の正面図である。
【図６】集合演出体が第２形態にあるときの演出装置の正面図である。
【図７】集合演出体が第３形態にあるときの演出装置の正面図である。
【発明を実施するための形態】
【００１１】
以下、本発明を実施するための実施形態を添付図面を参照しながら詳述する。図１は、本発明に係わる遊技機をなすパチンコ機１の外観正面図、図２〜４は、遊技盤３の正面図である。
【００１２】
図示するように、パチンコ機１は、遊技店の遊技島に据え付けられる矩形枠状の外枠２と、外枠２の左部に鉛直軸回りに前後方向へ揺動可能に枢支される合成樹脂または金属等で形成される図示略の内枠に着脱可能に嵌め込まれ、表面側（図１〜４において図面手前側）に図２〜４に示すように円形の遊技領域３１を形成する遊技盤３と、内枠に鉛直軸回りに前後方向へ開閉可能に枢支されると共に、遊技領域３１を遊技機１の前側に位置する遊技者から透視可能に覆うガラス板４１を嵌め込んだガラス枠ユニット４とを備える。
【００１３】
ガラス枠ユニット４の前面下部には、遊技盤３の裏面側（図１〜４において図面奥側）に配置される図示略の球払出装置から払い出される遊技球を貯留するための受皿４２と、受皿４２の右斜め下方にあって、受皿４２に貯留されている遊技球を遊技領域３１に打ち込んで所定の遊技を行う際に操作される発射ハンドル４３とが設けられる。
【００１４】
遊技盤３の後側には、数字やキャラクター等の演出図柄１００を表示画面５１に変動、停止表示可能な例えば液晶ディスプレイからなる表示装置５が配置される。本実施形態の演出図柄１００は、図２、４に示すように、上下方向へスクロール変動可能な左、中、右３列の左図柄、中図柄、右図柄により構成される。
【００１５】
遊技盤３の裏側には、表示画面５１に表示される演出図柄１００を遊技盤３の前方から視認不能に隠蔽したり遊技状態に応じて形態を変形して表示画面５１の周辺を装飾したりして、多彩な演出効果を実現可能として、遊技中のサプライズ性を高め、遊技の興趣を向上させるための演出装置６が設けられる。
【００１６】
遊技盤３は、アクリル樹脂等の透明な合成樹脂板により正面視ほぼ方形に形成されると共に、表面には、ガイドレール３２、３２によって包囲される円形（楕円形を含む）の遊技領域３１が形成される。受皿４２に貯留されている遊技球は、発射ハンドル４３の操作に基いて、遊技盤３の下部内側に設けられる図示略の発射装置から発射されることにより、ガイドレール３２、３２により誘導されて遊技領域３１に打ち込まれる。
【００１７】
遊技盤３の遊技領域３１には、遊技領域３１のほぼ中央部、すなわち表示装置５の表示画面５１に対向する領域にあって、表示画面５１に表示される演出図柄１００を遊技盤３の前側から透視可能とする正面視矩形の透視窓３３が設けられる。
【００１８】
なお、遊技盤３における透視窓３３及び演出装置６における後述の集合演出体７の移動領域以外の領域には、模様、彩色等が施され、遊技盤３の前側から遊技機１の内部構造が視認できないように不透明に形成される。
【００１９】
さらに、遊技領域３１には、主な要素として、透視窓３３以外の領域にあって、遊技領域３１に打ち込まれた遊技球の流下方向を変化させる多数の遊技釘３４と、透視窓３３の下方にあって、遊技領域３１に打ち込まれた遊技球が入賞可能な第１始動入賞口３５及び第１始動入賞口３５の真下に配置される第２始動入賞口３６と、遊技者にとって不利な第１状態（遊技球が入賞不能な閉鎖状態）と遊技者にとって有利な第２状態（遊技球が入賞可能な開放状態）とに変化可能な大入賞口３７と、遊技領域３１に打ち込まれた遊技球のうち第１、２始動入賞口３５、３６及び大入賞口３７等の入賞口に入賞しなかったアウト球を遊技盤３の裏面側に排出するアウト口３８等が設けられる。
【００２０】
第１始動入賞口３５及び第２始動入賞口３６は、遊技領域３１に打ち込まれた遊技球が入賞すると、内部の図示略の入賞検出スイッチにより遊技球の入賞が検知され、表示装置５の表示画面５１に表示される演出図柄１００の変動表示の契機を与える。
【００２１】
第１始動入賞口３５は、いわゆるヘソと称される常時上向きに開口した遊技球入口である。第２始動入賞口３６は、いわゆる電動チューリップと称される普通電動役物の図示略の左右一対の揺動片を備えており、所定の確率で抽選される抽選の結果、小当たりになったときには一対の揺動片が開放し、第２始動入賞口３６への入賞を容易にする。
【００２２】
遊技領域３１に打ち込まれた遊技球が第１始動入賞口３５または第２始動入賞口３６に入賞すると、これを契機に、遊技盤３の裏側に配置される図示略の主制御部により実行される抽選の結果、所定の変動パターンに基づいて、表示装置５の表示画面５１に演出図柄１００を所定の演出態様で所定の変動時間だけ表示演出を行い、変動時間経過後に所定の演出図柄１００の組合せ、例えば、左、中、右図柄に同一の図柄が揃って停止表示して確定表示した場合には、大当り状態を生起させて、大入賞口３７を第１状態から第２状態に変化させる。大当り状態のときには、第２状態にある大入賞口３７に多数の遊技球が入賞可能となり、球払出装置から賞球として大量の遊技球が短時間に払い出される。
【００２３】
図５〜７は、演出装置６の各状態の概略正面図を示す。
演出装置６は、遊技盤３の裏側にあって、表示画面５１の前側を移動可能で、かつ各位置に応じた形態に変形可能な後述の左右の羽根演出体７０Ｌ、７０Ｒにより形成される集合演出体７と、集合演出体７を支持するための左右方向へ長寸の移動支持部材８と、表示画面５１の左右両側に配置され、移動支持部材８を上下方向へ移動可能に支持するための左右一対のガイドレール９、９と、移動支持部材８の前面中央に固定されるハート型演出部材１０と、移動支持部材８を上下動させるための動力を発生可能な左右のモータ１１、１１と、左右のモータ１１、１１の回転動力を直線運動に変換して移動支持部材８に伝達可能な左右の紐状部材１２、１２とを備える。
【００２４】
各ガイドレール９、９、モータ１１、１１及び紐状部材１２、１２は、遊技盤３の透明部分を透して遊技者から見えないように、表示画面５１の左右両側に配置される。また、移動支持部材８は、その前面にハート型演出部材１０及び集合演出体７が設けられることによって、常時、遊技者から見えないように隠蔽される。
【００２５】
ハート型演出部材１０の左側に設けられる左の羽根演出体７０Ｌ及び同じく右側に設けられる右の羽根演出体７０Ｒは、全体が遊技盤３を透して遊技者から視認できるように遊技盤３の裏側に配置されると共に、前後方向に複数列に重なり合った複数の演出部材、すなわち前列の羽根形状演出部材７１Ｌ、７１Ｒ、中列の羽根形状演出部材７２Ｌ、７２Ｒ及び後列の羽根形状演出部材７３Ｌ、７３Ｒにより形成される。
【００２６】
なお、集合演出体７及びハート型演出部材１０は、遊技盤３の裏側に移動可能に配置されるため、図２〜４において、いずれの位置にあっても全て点線で示すべきであるが、図示の便宜上、本図面においては透視窓３３の裏側に位置する部分については実線で示し、それ以外の部分については点線で示す。
【００２７】
集合演出体７及びハート型演出部材１０は、モータ１１、１１の動力による移動支持部材８の上下動に伴って、図２、５に示すように、表示画面５１における上辺（一辺）よりも上側（外側）に位置する第１位置と、図３、６に示すように、表示画面５１の前面のほぼ中央部に位置する第２位置と、図４、７に示すように、表示画面５１における上辺に対向する下辺に近接する第３位置に移動可能である。なお、集合演出体７及びハート型演出部材１０は、いずれの位置にあっても、遊技盤３を透して遊技者からは透視可能である。
【００２８】
例えば、通常遊技状態の場合には、集合演出体７及びハート型演出部材１０は図２、５に示す第１位置に停止している。第１位置においては、移動支持部材８が上昇位置に停止して、左の羽根形状演出部材７１Ｌ、７２Ｌ、７３Ｌ及び右の羽根形状演出部材７１Ｒ、７２Ｒ、７３Ｒは、それぞれ互いに前後に重なり合った状態、すなわち集合演出体７が第１形態にあって、表示画面５１に表示されている演出図柄１００を隠蔽しないように表示画面５１の上側を装飾する。したがって、この第１形態においては、遊技機１の前側に位置する遊技者からは、ハート型演出部材１０及び左右の羽根演出体７０Ｌ、７０Ｒの最前列の羽根形状演出部材７１Ｌ、７１Ｒのみが見え、集合演出体７は羽根をたたんでいるような形態を作っている。
【００２９】
通常遊技状態中、第１始動入賞口３５または第２始動入賞口３６への遊技球の入賞を契機に、表示画面５１に表示されている演出図柄１００が変動表示を開始した後、例えば、リーチ状態（表示画面５１に表示されている演出図柄１００のうち、先に停止した左図柄及び右図柄の図柄が同一図柄で揃って停止し、最後に停止する右図柄が未だ変動表示中である状態）が発生した場合には、リーチ状態を盛り上げる演出するため、集合演出体７及びハート型演出部材１０を、モータ１１、１１の動力により図３、６に示す第２位置に移動させる。
【００３０】
第２位置においては、移動支持部材８が表示画面５１の上下方向のほぼ中央位置にあり、表示画面５１の前側において、左右の中列の羽根形状演出部材７２Ｌ、７２Ｒは上方へ所定角度揺動し、後列の羽根形状演出部材７３Ｌ、７３Ｒは、中列の羽根形状演出部材７２Ｌ、７２Ｒよりも大きい角度上方へ揺動することで、集合演出体７は第２形態に変形し、表示画面５１に表示されている演出図柄１００を遊技者から見えないように隠蔽する。したがって、この第２形態においては、遊技者からは、ハート型演出部材１０及び左右の羽根形状演出部材７１Ｌ、７２Ｌ、７３Ｌ及び７１Ｒ、７２Ｒ、７３Ｒの全てが見え、集合演出体７は、羽根を羽ばたいたような形態に変形し、表示画面５１の前側を広い範囲にわたって装飾する。
【００３１】
リーチ状態を経て、大当りになる場合または大当りなった場合には、大当りのサプライズ性を高める演出を行うため、集合演出体７及びハート型演出部材１０を、モータ１１、１１の動力により図４、７に示す第３位置に移動させる。第３位置においては、移動支持部材８は下降位置にあり、前列の羽根形状演出部材７１Ｌ、７１Ｒ及びハート型演出部材１０は表示画面５１の下辺近傍に移動し、中列の羽根形状演出部材７２Ｌ、７２Ｒは上方へ所定角度揺動した状態にあり、後列の羽根形状演出部材７３Ｌ、７３Ｒは中列の羽根形状演出部材７２Ｌ、７２Ｒの上部にあって第２形態のときよりもさらに大きく揺動した状態、すなわち集合演出体７が第２形態と異なる第３形態に変形することで、表示画面５１に表示されている演出図柄１００を遊技者から再び視認可能とする。したがって、この第３形態においては、遊技者からは、ハート型演出部材１０及び左右の羽根形状演出部材７１Ｌ、７２Ｌ、７３Ｌ及び７１Ｒ、７２Ｒ、７３Ｒの全てが見え、集合演出体７は、第２形態のときよりも羽根を大きく羽ばたいたような形態に変形し、表示画面５１の下側及び左右両側を装飾する。
【００３２】
次に、演出装置６の実施例を図５〜８に基づいて説明する。
演出装置６の左右のガイドレール９、９は、移動支持部材８の両端部を上下方向へ移動可能にガイドするための第１縦溝９１、９１と、中列の羽根形状支持部材７２Ｌ、７２Ｒの外側端部を上下方向へ移動可能にガイドするための第２縦溝９２、９２と、第２縦溝９２、９２の上部に連設され、外側（左のガイドレール９においては左側、右のガイドレール９においては右側）へ屈曲した横溝９３、９３と、後列の羽根形状演出部材７３Ｌ、７３Ｒの外側端部を上下方向へ所定量移動可能にガイドする第３縦溝９４とを有する。
【００３３】
ハート型演出部材１０は、移動支持部材８の中央前面に固定され、移動支持部材８と共に表示画面５１の前側を上下方向に往復移動可能である。ハート型演出部材１０の前面には、数字等を表示可能な７セグメントＬＥＤまたは液晶ディスプレイからなる表示器１０１が設けられる。
【００３４】
左の羽根演出体７０Ｌは、ハート型演出部材１０の左側に設けられ、右の羽根演出体７０Ｒは、ハート型演出部材１０の右側に設けられる。これにより、左右の羽根演出体７０Ｌ、７０Ｒ及びハート型演出部材１０によって、ハートに羽根が生えたような形態となる。
【００３５】
前列の羽根形状演出部材７１Ｌ、７１Ｒは、ハート型演出部材１０を介して移動支持部材８の前面に固定される。中列の羽根形状演出部材７２Ｌ、７２Ｒは、それぞれの中央寄りの端部が前列の羽根形状演出部材７２Ｌ、７２Ｒの裏面側に、前後方向の軸７２１Ｌ、７２１Ｒにより上下方向へ揺動可能に枢支されると共に、それぞれの外側端部の裏面側に設けられた摺動突部７２２Ｌ、７２２Ｒがガイドレール９、９の横溝９３、９３及び第２縦溝９２、９２に摺動可能に支持される。後列の羽根形状演出部材７３Ｌ、７３Ｒは、それぞれの中央寄りの端部に設けた摺動突部７３１Ｌ、７３１Ｒが中列の羽根形状演出部材７２Ｌ、７２Ｒの裏面に設けられた長溝７２３Ｌ、７２３Ｒに揺動かつ長手方向へ摺動可能に係合されると共に、それぞれの外側端部に設けた突部７３２Ｌ、７３２Ｒがガイドレール９、９の第３縦溝９４に摺動可能に支持される。
【００３６】
集合演出体７が第１位置で第１形態を形成している場合には、左右の前列の羽根形状演出部材７１Ｌ、７１Ｒの真後ろに中列の羽根形状演出部材７２Ｌ、７２Ｒが位置し、中列の羽根形状演出部材７２Ｌ、７２Ｒの真後ろに後列の羽根形状演出部材７３Ｌ、７３Ｒが位置している。この状態においては、中列の羽根形状演出部材７２Ｌ、７２Ｒの摺動突部７２２Ｌ、７２２Ｒは、ガイドレール９、９の横溝９３、９３に係合し、後列の羽根形状演出部材７３Ｌ、７３Ｒの摺動突部７３１Ｌ、７３１Ｒは、中列の羽根形状演出部材７２Ｌ、７２Ｒの長溝７２２Ｌ、７２２Ｒの中央寄りの端部に係合し、同じく突部７３２Ｌ、７３２Ｒは、第３縦溝９４の上端部に係合している。
【００３７】
モータ１１、１１の動力により、移動支持部材８が上昇位置から中央位置に下降すると、集合演出体７及びハート型演出部材１０は、第１位置から第２位置に移動する。この移動に伴って、前列の羽根形状演出部材７１Ｌ、７１Ｒ及びハート型演出部材１０は、そのままの状態で表示画面５１の前側に下降する。中列の羽根形状演出部材７２Ｌ、７２Ｒは、移動支持部材８の下降に伴って、摺動突部７２２Ｌ、７２２Ｒがガイドレール９、９の横溝９３、９３を内側へ向けて摺動することにより、軸７２１Ｌ、７２１Ｒを中心に上方へ所定角度揺動した後、摺動突部７２２Ｌ、７２２Ｒが横溝９３、９３から外れて第２縦溝９２、９２を下方へ摺動する。後列の羽根形状演出部材７３Ｌ、７３Ｒは、突部７３２Ｌ、７３２Ｒがガイドレール９、９の第３縦溝９４、９４を下端へ向けて摺動しつつ、摺動突部７３１Ｌ、７３１Ｒが中列の羽根形状演出部材７２Ｌ、７２Ｒの長溝７２３Ｌ、７２３Ｒを外側へ向けて摺動することによって、中列の羽根形状演出部材７２Ｌ、７２Ｒよりも大きく上方へ揺動する。これにより、集合演出体７は、第１位置から第２位置に移動することで、第１形態から第２形態に変形する。
【００３８】
移動支持体８がモータ１１、１１の動力により中央位置から下降位置に移動すると、集合演出体７及びハート型演出部材１０は、第２位置から第３位置に移動する。この移動に伴って、前列の羽根形状演出部材７１Ｌ、７１Ｒ及びハート型演出部材１０はそのまま下降し、表示画面５１の下辺付近に移動する。中列の羽根形状演出部材７２Ｌ、７２Ｒは、摺動突部７２２Ｌ、７２２Ｒがガイドレール９、９の第２縦溝９２、９２に係合して下方へ摺動することで、所定角度揺動した状態を保ったまま下方へ向けて摺動する。また、後列の羽根形状演出部材７３Ｌ、７３Ｒは、突部７３２Ｌ、７３２Ｒがガイドレール９の第３縦溝９４、９４の下端に当接してそれ以上、下方への摺動が阻止されるため、中列の羽根形状演出部材７２Ｌ、７２Ｒの下降に伴って、突部７３２Ｌ、７３２Ｒを支点にして揺動しつつ摺動突部７３１Ｌ、７３１Ｒが中列の羽根形状演出部材７２Ｌ、７２Ｒの長溝７２３Ｌ、７２３Ｒを外側へ向けて摺動することにより、中列の羽根形状演出部材７２Ｌ、７２Ｒよりも上方へ変位した状態で大きく揺動する。これにより、左右の羽根演出体７０Ｌ、７０Ｒは、第２形態のときよりも大きく羽ばたいたような第３形態に変形して、表示画面５１に表示される演出図柄１００を視認可能とすると共に、表示画面５１の下側及び左右両側を装飾する。
【００３９】
なお、上述の演出装置６の実施例の構成は、本発明を実現するための一例であって、本発明を限定するものではない。例えば、前列の羽根形状羽部材７１Ｌ、７１Ｒを移動支持部材８の上下動に連動して上下方向へ揺動可能にする、羽根形状演出部材の数、形状を変更可能にする、摺動演出体７の形態を変更する。
【符号の説明】
【００４０】
１  パチンコ機（遊技機）
２  外枠
３  遊技盤
４  ガラス枠ユニット
５  表示装置
６  演出装置
７  集合演出体
８  移動支持部材
９  ガイドレール
１０  ハート型演出部材
１０１  表示器
１１  モータ
１２  紐状部材
３１  遊技領域
３２  ガイドレール
３３  透視窓
３４  遊技釘
３５  第１始動入賞口
３６  第２始動入賞口
３７  大入賞口
３８  アウト口
４１  ガラス板
４２  受皿
４３  発射ハンドル
５１  表示画面
７０Ｌ、７０Ｒ  羽根演出体
７１Ｌ、７２Ｌ、７３Ｌ、７１Ｒ、７２Ｒ、７３Ｒ  羽根形状演出部材
９１  第１縦溝
９２  第２縦溝
９３  横溝
９４  第３縦溝
１００  演出図柄
７２１Ｌ、７２１Ｒ  軸
７２２Ｌ、７２２Ｒ  摺動突部
７２３Ｌ、７２３Ｒ  長溝
７３１Ｌ、７３１Ｒ  摺動突部
７３２Ｌ、７３２Ｒ  突部
【図１】
2014004167.tif 000003
【図２】
2014004167.tif 000004
【図３】
2014004167.tif 000005
【図４】
2014004167.tif 000006
【図５】
2014004167.tif 000007
【図６】
2014004167.tif 000008
【図７】
2014004167.tif 000009